(57)【要約】【課題】前面開口に冷気のエアカーテンと常温空気のエアカーテンとを形成することができ、扉ユニットを装着した場合には、扉ユニットの外側には常温空気をそれぞれ適正に吐出して、結露の発生を防止することのできる低温ショーケースを提供する。【解決手段】前面開口１３に扉ユニット４０を着脱自在に設け、扉ユニット４０を装着しない状態では、前面開口１３に冷気のエアカーテンを形成するとともに、冷気のエアカーテンの前面側に常温空気のエアカーテンを形成可能とし、前面開口１３に扉ユニット４０を装着した状態で、冷気吐出口３０および冷気吸込口３１は、前記扉ユニット４０の陳列室１５側に配置され、前記常温空気吐出口３４および前記常温空気吸込口３５は、前記扉ユニット４０の外側に配置される。【選択図】図２
2017029604.tif 000002
【特許請求の範囲】
【請求項１】
断面形状略コ字状の断熱壁と、前記断熱壁の側面に取り付けられる側板とから構成され、前記断熱壁内を内側パネルにて仕切ることにより、ダクトと前面開口を有する陳列室とを形成してなる低温ショーケースにおいて、
前記ダクトの内部に前記ダクトの内部を２つの流路に仕切る仕切板を設け、一方の流路を内部に蒸発器を配設してなる冷気用ダクトとし、他方の流路を常温空気用ダクトとし、
前記前面開口の上部前端に設けられ前記冷気用ダクトに連通する冷気吐出口と、前記前面開口の下部前端に設けられ前記冷気用ダクトに連通する冷気吸込口と、前記前面開口の前記冷気吐出口より前方に設けられ前記常温空気用ダクトに連通する常温空気吐出口と、前記前面開口の前記冷気吸込口より前方に設けられ前記常温空気用ダクトに連通する常温空気吸込口と、を設け、
前記前面開口に扉ユニットを着脱自在に設け、
前記扉ユニットを装着しない状態では、前記冷気吐出口から前記蒸発器により冷却された冷気を吐出して前記冷気吸込口から吸い込むことで前記前面開口に冷気のエアカーテンを形成するとともに、前記常温空気吐出口から常温空気を吐出して前記常温空気吸込口から吸い込むことで前記冷気のエアカーテンの前面側に常温空気のエアカーテンを形成可能とし、
前記前面開口に前記扉ユニットを装着した状態で、前記冷気吐出口および前記冷気吸込口は、前記扉ユニットの陳列室側に配置され、前記常温空気吐出口および前記常温空気吸込口は、前記扉ユニットの外側に配置されることを特徴とする低温ショーケース。
【請求項２】
前記冷気用ダクトと、前記常温空気用ダクトとは、完全に分離された流路を備えていることを特徴とする請求項１に記載の低温ショーケース。
【請求項３】
前記冷気用ダクトと、前記常温空気用ダクトとは、前記冷気吸込口および前記常温空気吸込口の内部において合流され、前記冷気用ダクトの前記蒸発器より冷気の上流側から分離された流路を備えていることを特徴とする請求項１に記載の低温ショーケース。
【請求項４】
前記常温空気用ダクトは、少なくとも前記冷気用ダクトの背面側に配置されていることを特徴とする請求項１から請求項３のいずれか一項に記載の低温ショーケース。
【請求項５】
前記扉ユニットは、フレームに支持された対の扉を備え、前記各扉は、両開き式の扉であることを特徴とする請求項１から請求項４のいずれか一項に記載の低温ショーケース。
【発明の詳細な説明】
【技術分野】
【０００１】
本発明は、前面が開口する陳列室内に商品を陳列する低温ショーケースであって、特に、前面開口に冷気のエアカーテンと常温空気のエアカーテンとを形成する低温ショーケースに関する。
【背景技術】
【０００２】
従来から、コンビニエンスストアやスーパーマーケットなどに設置されるオープンショーケースは、断面略コ字状の断熱壁と、この断熱壁の側面に取り付けられる側板とから構成されており、断熱壁内を仕切板にて仕切ることにより、ダクトと前面が開口する陳列室とを形成している。そして、陳列室には商品を陳列する棚を架設するとともに、ダクト内には蒸発器を配置し、この蒸発器により冷却された冷気を前面開口上縁の冷気吐出口から吐出し、前面開口下縁の冷気吸込口から吸い込むことで、開口に冷気によるエアカーテンを形成していた（例えば、特許文献１参照）。
【０００３】
また、冷気吐出口より前側に外層吐出口を形成し、この外層吐出口から空気を吐出して冷気エアカーテンの前側に保護用のエアカーテンを形成するものもあった。
【先行技術文献】
【特許文献】
【０００４】
【特許文献１】特開２０１２−１６１３４５号公報
【発明の概要】
【発明が解決しようとする課題】
【０００５】
このようなオープンショーケースでは、陳列室の前面が開口しているために顧客による商品の取り出しが容易であり、商品販売上の効果が極めて高いものであるが、陳列室からの冷気漏洩が著しいという問題がある。これを防止するために、前面開口には冷気によるエアカーテンを形成しているが、冷気の漏洩と外気の侵入は避けがたく、冷却効果の低下を招くとともに、消費電力の増加を招いてしまうという問題があった。
【０００６】
そこで、前記特許文献１ではオープンショーケースの前面開口に扉を取り付け可能な構成としていた。扉を取り付けて開口を開閉自在とすることで、冷気の漏洩や外気の侵入を防止若しくは低減することができる。
しかしながら、保護用のエアカーテンを形成する場合、外層吐出口から外気を吐出するのみであるため、扉の前面側に効率よく外気を当てることができず、特に、扉の下方において、結露が発生してしまうという問題を有している。
【０００７】
本発明は前記した点に鑑みてなされたものであり、オープンショーケースとして使用する場合には、前面開口に冷気のエアカーテンと常温空気のエアカーテンとを形成することができ、扉ユニットを装着した場合には、扉ユニットの陳列室側に冷気を、扉ユニットの外側には常温空気をそれぞれ適正に吐出して、結露の発生を防止することのできる低温ショーケースを提供することを目的とする。
【課題を解決するための手段】
【０００８】
前記目的を達成するため、本発明は、断面形状略コ字状の断熱壁と、前記断熱壁の側面に取り付けられる側板とから構成され、前記断熱壁内を内側パネルにて仕切ることにより、ダクトと前面開口を有する陳列室とを形成してなる低温ショーケースにおいて、前記ダクトの内部に前記ダクトの内部を２つの流路に仕切る仕切板を設け、一方の流路を内部に蒸発器を配設してなる冷気用ダクトとし、他方の流路を常温空気用ダクトとし、前記前面開口の上部前端に設けられ前記冷気用ダクトに連通する冷気吐出口と、前記前面開口の下部前端に設けられ前記冷気用ダクトに連通する冷気吸込口と、前記前面開口の前記冷気吐出口より前方に設けられ前記常温空気用ダクトに連通する常温空気吐出口と、前記前面開口の前記冷気吸込口より前方に設けられ前記常温空気用ダクトに連通する常温空気吸込口と、を設け、前記前面開口に扉ユニットを着脱自在に設け、前記扉ユニットを装着しない状態では、前記冷気吐出口から前記蒸発器により冷却された冷気を吐出して前記冷気吸込口から吸い込むことで前記前面開口に冷気のエアカーテンを形成するとともに、前記常温空気吐出口から常温空気を吐出して前記常温空気吸込口から吸い込むことで前記冷気のエアカーテンの前面側に常温空気のエアカーテンを形成可能とし、前記前面開口に前記扉ユニットを装着した状態で、前記冷気吐出口および前記冷気吸込口は、前記扉ユニットの陳列室側に配置され、前記常温空気吐出口および前記常温空気吸込口は、前記扉ユニットの外側に配置されることを特徴とする。
【０００９】
また、前記構成において、前記冷気用ダクトと、前記常温空気用ダクトとは、完全に分離された流路を備えていることを特徴とする。
【００１０】
また、前記構成において、前記冷気用ダクトと、前記常温空気用ダクトとは、前記冷気吸込口および前記常温空気吸込口の内部において合流され、前記冷気用ダクトの前記蒸発器より冷気の上流側から分離された流路を備えていることを特徴とする。
【００１１】
また、前記構成において、前記常温空気用ダクトは、少なくとも前記冷気用ダクトの背面側に配置されていることを特徴とする。
【００１２】
また、前記構成において、前記扉ユニットは、フレームに支持された対の扉を備え、前記各扉は、両開き式の扉であることを特徴とする。
【発明の効果】
【００１３】
本発明によれば、前面開口に扉ユニットを着脱自在に設け、扉ユニットを装着しない状態では、前面開口に冷気のエアカーテンを形成するとともに、冷気のエアカーテンの前面側に常温空気のエアカーテンを形成することができ、このように２重のエアカーテンを形成することにより、オープンショーケースの前面開口において、陳列室の内部と外部とを遮断することができ、陳列室の内部温度を一定に保持することが可能となる。
また、扉ユニットを装着した状態では、扉ユニットにより前面開口を被覆するように構成されるので、陳列室の内部と外部とを完全に遮断することができ、陳列室の内部の温度を一定に保持することができ、冷却効率を高めることができる。
さらに、扉ユニットの陳列室の内部側に冷気のエアカーテンが形成され、扉ユニットの外側に常温空気によるエアカーテンが形成されるので、扉ユニットの外側に確実に常温空気のエアカーテンを形成することができ、扉の外側面に常温空気を常に当てることが可能となり、扉の外側面における結露を確実に防止することができる。
【図面の簡単な説明】
【００１４】
【図１】本発明に係る低温ショーケースをオープンショーケースとして使用する場合の実施形態を示す側面断面図である。
【図２】本発明に係る低温ショーケースに扉ユニットを装着した場合の実施形態を示す側面断面図である。
【図３】図２の正面図である。
【図４】図２の扉ユニットの下端部分を拡大した側面断面図である。
【図５】図２の扉ユニットの上端部分を拡大した側面断面図である。
【図６】扉を開いた状態で上方から見た場合の斜視図である。
【発明を実施するための形態】
【００１５】
以下、本発明の実施の形態について、図面を参照して説明する。
図１は本発明に係る低温ショーケースをオープンショーケースとして使用する場合の実施形態を示す側面断面図である。図２は本発明に係る低温ショーケースに扉ユニットを装着した場合の実施形態を示す側面断面図、図３は図２の正面図である。図４は図２の扉ユニットの下端部分を拡大した側面断面図、図５は図２の扉ユニットの上端部分を拡大した側面断面図である。
本実施形態の低温ショーケース１は、コンビニエンスストアやスーパーマーケットなどの店舗内に据え付けられる。
【００１６】
図１に示すように、低温ショーケース１は、前面が開口し上面、背面および下面を覆う断面形状略コ字状の断熱壁１０と、据え付け現場において断熱壁１０の外面側に取り付けられる断熱性の側板１１とから構成されている。断熱壁１０の内側には、断熱壁１０に対して所定の間隙を有するように内側パネル１２が設けられている。
内側パネル１２の下端には、前面開口１３に向かって延在する底板１４が一体に取り付けられており、これら内側パネル１２および底板１４の内側は、前面開口１３を有する陳列室１５とされている。
【００１７】
内側パネル１２および底板１４と断熱壁１０との間の空間は、ダクト１６とされている。本実施形態においては、ダクト１６の内部には、仕切板１７が設けられており、ダクト１６の内部を２つの流路に完全に分離するように構成されている。ダクト１６のうち仕切板１７の前面側は、冷気用ダクト１８とされており、仕切板１７の背面側は、常温空気用ダクト１９とされている。
本実施形態においては、常温空気用ダクト１９は、冷気用ダクト１８の背面側、すなわち、断熱壁１０と仕切板１７との間に配置されている。
【００１８】
また、陳列室１５の内部には、陳列室１５の背面側に位置する内側パネル１２の前面側に設けられる図示しない支柱に着脱自在に取付けられる一対のブラケット２０と、このブラケット２０に指示された棚板２１とが複数段設置されている。
さらに、底板１４の上面には、デッキパン２２が配置されており、これら棚板２１およびデッキパン２２の上面に、商品が陳列される構成とされている。
なお、本実施形態においては、デッキパン２２も商品陳列用の棚板２１の概念に含まれるものとする。
【００１９】
また、棚板２１およびデッキパン２２は、図１に一点鎖線で示すように前方に引き出し自在とされており、棚板２１およびデッキパン２２の上面に商品を補充する際には、陳列室１５の前面開口１３より前方に引き出して作業を行うことができるように構成されている。なお、デッキパン２２が前方に引き出される際には、デッキパン２２は陳列室１５の前面開口１３の下縁に対して所定の間隙をもって引き出される。
【００２０】
また、内側パネル１２の上部前端部分には、キャノピー２３が前面開口１３の全幅にわたって取り付けられており、キャノピー２３の内側には、陳列室１５の内部を照明する照明灯２４が取付けられている。キャノピー２３の前側には、陳列室１５の前面開口１３の上方を被覆する上パネル２５が取り付けられており、この上パネル２５には陳列室１５の内部温度を表示するための温度計２６が取り付けられている。
【００２１】
また、キャノピー２３の前端には、冷気用ダクト１８に連通し、冷気用ダクト１８の内部の冷気を陳列室１５に吹き出す冷気吐出口３０が形成されている。また、底板１４の前端部には、冷気用ダクト１８に連通する冷気吸込口３１が形成されている。
また、内側パネル１２の背面側における冷気用ダクト１８の内部には、冷却装置の蒸発器３２が配設されており、底板１４の下方における冷気用ダクト１８の内部には、冷気用送風機３３が設置されている。
【００２２】
また、キャノピー２３と上パネル２５との間には、冷気吐出口３０より前側に位置する常温空気吐出口３４が形成されている。また、底板１４の前端部には、冷気吸込口３１より前側に位置する常温空気吸込口３５が形成されている。
また、常温空気用ダクト１９の背面側下方には、常温空気用送風機３６が設置されている。なお、常温空気用送風機３６は、常温空気用ダクト１９の内部であれば、いずれの位置に設置するようにしてもよい。
【００２３】
そして、冷気用送風機３３を駆動することにより、蒸発器３２と熱交換した冷気が冷気用ダクト１８の内部を上昇し、冷気吐出口３０から前面開口１３に向けて吐出される。前面開口１３に吐出された冷気は、冷気吸込口３１から冷気用ダクト１８の内部に吸い込まれ、これにより、前面開口１３には冷気によるエアカーテンが形成されるとともに、この冷気のエアカーテンの一部が陳列室１５の内部に循環される。
なお、内側パネル１２には、図示しない冷気吹出口が形成されており、冷気のエアカーテンの一部とこれら冷気吹出口から吹き出される冷気によって陳列室１５の内部は所定温度に冷却される。
【００２４】
一方、常温空気用送風機３６を駆動することにより、常温空気用ダクト１９の内部の空気が常温空気用ダクト１９を上昇し、常温空気吐出口３４から前面開口１３に向けて吐出される。前面開口１３に吐出された常温空気は、常温空気吸込口３５から常温空気用ダクト１９の内部に吸い込まれ、これにより、前面開口１３には、冷気のエアカーテンの前側に常温空気によるエアカーテンが形成されることになる。
すなわち、本実施形態においては、陳列室１５の前面開口１３に、冷気および常温空気による２重のエアカーテンが形成されるものである。
以上がオープンショーケース１の構成である。
【００２５】
また、本実施形態においては、図２および図３に示すように、低温ショーケース１の前面開口１３には、扉ユニット４０が着脱自在に装着できるように構成されている。
扉ユニット４０は、低温ショーケース１の前面開口１３に取付可能とされた枠状のフレーム４１と、透明な板ガラスからなる左右にそれぞれ一対の扉４２、４２と、これら各扉４２を開閉自在に支持するヒンジ機構４３と、フレーム４１と扉４２とを連結するステー４４とから構成されている。
【００２６】
フレーム４１は、前面開口１３の上端に沿って配置される上フレーム４５と、前面開口１３の下端に沿って配置される下フレーム４６と、前面開口１３の左右端に沿って配置される一対の縦フレーム４７、４７とで構成されている。
図２および図５に示すように、上フレーム４５は、前面開口１３の上端、すなわち本実施形態ではキャノピー２３の前側下面に取付けられている。また、図２および図４に示すように、下フレーム４６は、前面開口１３の下端、すなわち、本実施形態においては断熱壁１０の下部前端における上面に取り付けられている。縦フレーム４７は、上フレーム４５の両端部と、下フレーム４６の両端部とをそれぞれ連結するように略垂直に取付けられている。
【００２７】
この状態で、上フレーム４５より陳列室１５の内部側に、冷気吐出口３０が配置され、上フレーム４５より外側に、常温空気吐出口３４が配置されている。また、同様に、下フレーム４６より陳列室１５の内部側に、冷気吸込口３１が配置され、下フレーム４６より外側に、常温空気吸込口３５が配置されている。
すなわち、扉ユニット４０の陳列室１５側に、冷気吐出口３０および冷気吸込口３１による冷気のエアカーテンが形成されることになり、扉ユニット４０の外側に、常温空気吐出口３４および常温空気吸込口３５による常温空気のエアカーテンが形成されることになる。
【００２８】
扉４２は、扉４２を回動自在に支持するヒンジ機構４３により、上フレーム４５および下フレーム４６に取り付けられている。扉４２は、正面視で略長方形状のガラス板で構成されている。
本実施形態においては、各扉４２は、前面開口１３の両側部分における上下端縁および前面開口１３の中央部分における上下端縁にそれぞれヒンジ機構４３が取り付けられており、これにより、各扉４２は、陳列室１５の左右のそれぞれ一対の扉４２は、両側に開く両開き式の扉４２とされている。
また、扉４２の中央部分には、取っ手４８が取り付けられている。
なお、扉４２は、各扉４２が左右にスライドする引き戸式の扉４２で構成するようにしてもよい。また、扉４２として、透明なガラス板の他、例えば、アクリル板など、他の素材を用いることも可能である。
【００２９】
ヒンジ機構４３は、断面形状略Ｕ字状を有し、扉４２の上下端を挟んで支持する扉保持部材５０を備えている。扉保持部材５０は、基部５１と、この基部５１の両側から互いに対向するように延在し、扉４２の上端縁の両面または下端縁の両面を挟んで支持する支持部５２と、を備えている。扉保持部材５０の基部５１には、上フレーム４５および下フレーム４６に形成された図示しない支持孔に係合される支持軸５３が一体に設けられている。
そして、支持部５２により扉４２を支持した状態で、支持軸５３を中心として回動自在とされており、これにより、扉４２の開閉動作を行うことができるように構成されている。
【００３０】
また、図６は、扉４２を開いた状態で上方から見た場合の斜視図である。図６に示すように、上フレーム４５の下面と扉保持部材５０の上面との間には、ステー４４が連結されている。
ステー４４は、一端部が上フレーム４５に連結され内部が中空とされた長尺のステー枠６０と、一端部が扉保持部材５０に連結され、他端部がステー枠６０の内側に摺動自在に挿入される長尺のステー可動部材６１と、から構成されている。
ステー枠６０のステー可動部材６１の挿入端には、ステー枠６０の上方から、ストッパ機構６２が取り付けられている。ストッパ機構６２は、ステー枠６０の内側に向けてばね付勢された図示しないストッパを備えている。
【００３１】
ステー可動部材６１の幅方向の中央部には、ステー可動部材６１の長さ方向に延在しストッパが係合される摺動溝６３が形成されている。
また、ステー可動部材６１の摺動溝６３の長手方向の延長上には、ストッパが係合する図示しないストッパ保持部が形成されている。このストッパ保持部は、本実施形態においては、例えば、扉４２が７５度の角度に開いた状態でストッパが係合する位置および扉４２が９０度の角度に開いた状態でストッパが係合する位置にそれぞれ形成されている。
【００３２】
このように構成することで、扉４２が閉じた状態から扉４２を開くと、ストッパがステー可動部材６１の摺動溝６３に係合しながら、ステー可動部材６１は、ステー枠６０の内側で摺動自在とされるので、ストッパが摺動溝６３の端部に至るまでは、扉４２は抵抗なく開くことができる。
ストッパが摺動溝６３の端部まで移動した状態で、扉４２をさらに開くと、ストッパが摺動溝６３を乗り越えてストッパ保持部に係合する。この状態で、扉４２は、７５度に開いた状態で保持される。そして、扉４２をさらに開くと、ストッパがストッパ保持部を乗り越えて、隣接するストッパ保持部に係合する。この状態で、扉４２は、９０度に開いた状態で保持される。
【００３３】
なお、本実施形態においては、ストッパ保持部として、扉４２を７５度および９０度に開いた状態に保持する位置に設けるようにしたが、ストッパ保持部の形成位置および形成数は、必要に応じて任意に設定することができるものである。
【００３４】
また、ステー可動部材６１の先端部には、所定以上の圧力がかかるとこの連結を解除する連結解除機構６４が設けられている。連結解除機構６４は、扉保持部材５０に取付けられ内部が中空とされたステー連結部材６５を備えており、ステー連結部材６５は、扉保持部材５０の上面に連結部材を貫通するピン６６を介して固定されている。
ステー可動部材６１の先端には、ピン６６の両側に位置するように二股状に分かれた一対の連結片６７が形成されており、これら各連結片６７の先端部における互いに対向する面には、内側に突出するツメ６８がそれぞれ形成されている。
【００３５】
そして、通常状態では、ステー連結部材６５とステー可動部材６１とは、連結片６７のツメ６８によりピン６６に係合することで、互いに連結された状態に保持されている。
そして、扉４２が９０度の角度で開けられている状態からさらに開く方向に力が加わった場合に、連結片６７のツメ６８とピン６６との係合が解除され、これにより、ステー可動部材６１とステー連結部材６５との連結が解除されるものである。
【００３６】
次に、本実施形態の作用について説明する。
まず、図１に示す低温ショーケース１をオープンショーケースとして使用する場合の作用について説明する。
この場合には、冷気用送風機３３を駆動することにより、冷気用ダクト１８の内部の空気を蒸発器３２により冷却し、冷却された冷気は、冷気用ダクト１８を上昇して、冷気吐出口３０から前面開口１３の下方に向けて吐出される。
そして、冷気吐出口３０から吐出された冷気は、冷気吸込口３１から吸い込まれ、冷気用ダクト１８に戻される。これにより、前面開口１３に冷気によるエアカーテンが形成されるとともに、この冷気エアカーテンの一部が陳列室１５の内部に循環される。
【００３７】
一方、常温空気用送風機３６を駆動することにより、常温空気用ダクト１９の内部の空気は、常温空気用ダクト１９を上昇して、常温空気吐出口３４から前面開口１３の下方に向けて吐出される。
そして、常温空気吐出口３４から吐出された常温空気は、常温空気吸込口３５から吸い込まれ、常温空気用ダクト１９に戻される。これにより、前面開口１３における冷気のエアカーテンの前面側に常温空気によるエアカーテンが形成され、冷気のエアカーテンと常温空気のエアカーテンとの２重のエアカーテンが形成される。
このように２重のエアカーテンを形成することにより、オープンショーケースの前面開口１３において、陳列室１５の内部と外部とを遮断することができ、陳列室１５の内部温度を一定に保持することが可能となる。
【００３８】
次に、図２に示すように、低温ショーケース１の前面開口１３に扉ユニット４０を取り付けた場合について説明する。
この場合は、扉ユニット４０により前面開口１３を被覆するように構成されるので、陳列室１５の内部と外部とを完全に遮断することができ、陳列室１５の内部の温度を一定に保持することができ、冷却効率を高めることができる。
この場合に、本実施形態においては、扉ユニット４０の陳列室１５の内部側に、冷気吐出口３０が配置され、扉ユニット４０の外側に、常温空気吐出口３４が配置されている。また、同様に、扉ユニット４０の陳列室１５側に、冷気吸込口３１が配置され、扉ユニット４０の外側に、常温空気吸込口３５が配置されている。
そのため、扉ユニット４０の陳列室１５の内部側に、冷気吐出口３０および冷気吸込口３１による冷気のエアカーテンが形成されることになり、扉ユニット４０の外側に、常温空気吐出口３４および常温空気吸込口３５による常温空気によるエアカーテンが形成される。
【００３９】
一般に、扉４２を設置した場合、陳列室１５の内部には、前述のように冷気のエアカーテンが形成され、扉４２の内側面は、常に冷気にさらされている状態である。しかも、冷気吸込口３１から冷気を吸い込む構造であり、冷気は下方に溜まりやすいことから、扉４２の内側下方が最も冷えやすい傾向にある。
そのため、そのままの状態では、扉４２の外側面下方が外気と比較して低温となるので、結露しやすい状態となる。
【００４０】
しかしながら、本実施形態においては、そのため、扉ユニット４０の外側に確実に常温空気のエアカーテンを形成することができるので、扉４２の外側面に常温空気を常に当てることが可能となり、扉４２の外側面における結露を確実に防止することができる。
【００４１】
また、本実施形態においては、常温空気用ダクト１９を冷気用ダクト１８の背面側に配置するようにしているので、断熱壁１０と冷気用ダクト１８との間に、常温空気による断熱層が形成されることになる。そのため、ショーケースの背面側において、冷気による冷却を軽減させることができ、ショーケースの背面側における結露を防止することができる。
【００４２】
なお、本実施形態においては、常温空気用ダクト１９を冷気用ダクト１８の背面側に配置した例について説明したが、これに限定されるものではない。例えば、常温空気用ダクト１９を冷気用ダクト１８の背面側および両側に配置するようにしてもよい。この場合には、断熱壁１０の背面側および両側における冷気用ダクト１８との間に常温空気による断熱層が形成されることになるので、低温ショーケース１の背面側および両側における結露を防止することができる。
【００４３】
以上述べたように、本実施形態においては、前面開口１３に扉ユニット４０を着脱自在に設け、扉ユニット４０を装着しない状態では、冷気吐出口３０から蒸発器３２により冷却された冷気を吐出して冷気吸込口３１から吸い込むことで前面開口１３に冷気のエアカーテンを形成するとともに、常温空気吐出口３４から常温空気を吐出して常温空気吸込口３５から吸い込むことで冷気のエアカーテンの前面側に常温空気のエアカーテンを形成するようにしているので、低温ショーケース１をオープンショーケースとして使用することができ、このように２重のエアカーテンを形成することにより、低温ショーケース１の前面開口１３において、陳列室１５の内部と外部とを遮断することができ、陳列室１５の内部温度を一定に保持することが可能となる。
また、扉ユニット４０を装着した状態では、扉ユニット４０により前面開口１３を被覆するように構成されるので、陳列室１５の内部と外部とを完全に遮断することができ、陳列室１５の内部の温度を一定に保持することができ、冷却効率を高めることができる。
さらに、本実施形態においては、扉ユニット４０の陳列室１５の内部側に、冷気吐出口３０および冷気吸込口３１による冷気のエアカーテンが形成され、扉ユニット４０の外側に、常温空気吐出口３４および常温空気吸込口３５による常温空気によるエアカーテンが形成されるので、扉ユニット４０の外側に確実に常温空気のエアカーテンを形成することができ、扉４２の外側面に常温空気を常に当てることが可能となり、扉４２の外側面における結露を確実に防止することができる。
【００４４】
また、本実施形態においては、常温空気用ダクト１９を、冷気用ダクト１８の背面側に配置しているので、断熱壁１０と冷気用ダクト１８との間に、常温空気による断熱層が形成され、これにより、低温ショーケース１の背面側における結露を防止することができる。
【００４５】
なお、前記実施形態においては、冷気用ダクト１８と、常温空気用ダクト１９とを完全に分離された流路で形成するようにしたが、これに限定されるものではない。
例えば、冷気用ダクト１８と、常温空気用ダクト１９とは、冷気吸込口３１および常温空気吸込口３５の内部において合流され、冷気用ダクト１８の蒸発器３２より冷気の上流側から分離された流路で形成するようにしてもよい。この場合、冷気吸込口３１から吸い込まれた冷気と、常温空気吸込口３５から吸い込まれた常温空気とは混合されるが、冷気と常温空気とが混合されることにより、常温空気が除湿されることになり、常温空気吐出口３４から除湿された常温空気を吐出させることができる。
【００４６】
また、本発明は、前記実施形態に記載のものに限定されるものではなく、本発明の趣旨を逸脱しない範囲で種々変更および応用が可能である。
【符号の説明】
【００４７】
１  低温ショーケース
１０  断熱壁
１１  側板
１２  内側パネル
１３  前面開口
１４  底板
１５  陳列室
１６  ダクト
１７  仕切板
１８  冷気用ダクト
１９  常温空気用ダクト
２１  棚板
３０  冷気吐出口
３１  冷気吸込口
３２  蒸発器
３３  冷気用送風機
３４  常温空気吐出口
３５  常温空気吸込口
３６  常温空気用送風機
４０  扉ユニット
４１  フレーム
４２  扉
４３  ヒンジ機構
４４  ステー
４５  上フレーム
４６  下フレーム
４７  縦フレーム
５０  扉保持部材
６４  連結解除機構
【図１】
2017029604.tif 000003
【図２】
2017029604.tif 000004
【図３】
2017029604.tif 000005
【図４】
2017029604.tif 000006
【図５】
2017029604.tif 000007
【図６】
2017029604.tif 000008